(57)【要約】【課題】移動販売車両の販売場所や巡回コースまたは販売商品の種類や値段を、予め携帯電話やパソコンにより検索および閲覧または事前通知および事前予約できる移動販売車検索システムを提供をする。【解決手段】移動販売車両１に、ＧＰＳ４と通信手段６とを搭載し、通信手段６は、ＧＰＳ４で取得した座標をインターネット２を介してシステムサービス提供サーバ７に送信して情報データベース８の記憶装置に格納し、上記記憶装置に格納された上記座標にもとづいて、情報データベース８に登録されたコースデータを呼び出し、上記コースデータ上の登録地と照合しつつ、上記コースデータを更新してウェブサイトに公開することによりウェブサイト閲覧者がウェブサイトに位置情報を入力し、この位置情報にもとづいて、情報データベース８に予め登録されたコースデータおよび地図情報提供サーバ９の地図データベース１０の座標データを呼び出して、移動販売車両１検索および閲覧する。【選択図】図１
2011221984.tif 000002
【特許請求の範囲】
【請求項１】
移動販売車両のコースデータを予め登録したシステムサービス提供サーバの情報データベースを当該インターネット上に公開されたウェブサイトを介して検索および閲覧する移動販売車検索システムであって、
上記移動販売車両に、移動した上記移動販売車両の位置の座標を緯度および経度から取得するＧＰＳと、当該座標を上記システムサービス提供サーバの上記情報データベースの記憶装置に送信する通信手段とを搭載し、
上記通信手段は、上記ＧＰＳにより取得した上記座標を上記インターネットを介して上記システムサービス提供サーバに送信し、
上記システムサービス提供サーバは、上記通信手段から送信された上記座標を上記情報データベースの記憶装置に格納するとともに、上記情報データベースの上記記憶装置に格納された上記座標にもとづいて、上記情報データベースに予め登録された上記コースデータを呼び出し、上記コースデータ上の登録地と照合しつつ、上記コースデータを更新して、上記ウェブサイトに公開することにより、
ウェブサイト閲覧者が、上記ウェブサイトにアクセスして上記情報データベースを呼びだすとともに、上記ウェブサイトに位置情報を入力し、この位置情報にもとづいて、上記情報データベースに予め登録された上記コースデータまたは上記インターネットに接続された地図情報提供サーバの地図データベースの座標データを呼び出して、上記移動販売車両の位置を検索および閲覧することを特徴とする移動販売車検索システム。
【請求項２】
上記通信手段は、上記移動販売車両の販売開始または販売終了の操作によって、上記ＧＰＳが上記移動販売車両の位置を定期的に取得した座標を上記インターネットを介して自動的に上記システムサービス提供サーバの上記情報データベースの上記記憶装置に送信し、
上記システムサービス提供サーバは、上記通信手段から送信された上記座標を上記情報データベースの上記記憶装置に格納するとともに、上記情報データベースの上記記憶装置に格納された上記座標にもとづいて、上記情報データベースに予め登録された上記コースデータを呼び出し、上記コースデータ上の登録地と照合しつつ、上記コースデータを更新して、上記ウェブサイトに公開することにより、
上記ウェブサイト閲覧者が、上記ウェブサイトにアクセスして上記情報データベースを呼びだすとともに、上記ウェブサイトに位置情報を入力し、この位置情報にもとづいて、上記情報データベースに予め登録された上記コースデータまたは上記インターネットに接続された上記地図情報提供サーバの上記地図データベースの座標データを呼び出して、上記移動販売車両の位置を検索および閲覧することを特徴とする請求項１に記載の移動販売車検索システム。
【請求項３】
上記通信手段は、上記移動販売車両の販売開始または販売終了の操作によって、上記ＧＰＳが上記移動販売車両の位置を定期的に取得した座標を上記インターネットを介して自動的に上記システムサービス提供サーバの上記情報データベースの上記記憶装置に送信し、
上記システムサービス提供サーバは、上記通信手段から送信された上記座標を上記情報データベースの上記記憶装置に格納するとともに、上記情報データベースの上記記憶装置に格納された上記座標にもとづいて、上記情報データベースに予め登録されたサイト利用会員の登録データ呼び出し、当該サイト利用会員の登録データの登録地と照合し、一致した当該サイト利用会員に、上記インターネットを介して上記移動販売車両の到着通知を送信することを特徴とする請求項１または２に記載の移動販売車検索システム。
【請求項４】
上記通信手段は、上記移動販売車両から入力された上記移動販売車両の販売情報を上記インターネットを介して上記システムサービス提供サーバの上記情報データベースの記憶装置に送信し、
上記システムサービス提供サーバは、上記通信手段から送信された上記販売情報を上記情報データベースの上記記憶装置に格納して、上記ウェブサイトに公開することにより、
上記ウェブサイト閲覧者および上記サイト利用会員が上記ウェブサイトにアクセスして、上記情報データベースを呼びだすとともに、上記ウェブサイトに販売情報を入力し、この販売情報にもとづいて、上記移動販売車両の販売内容を検索および閲覧することを特徴とする請求項１から３のいずれかに記載の移動販売車検索システム。
【請求項５】
上記通信手段は、上記移動販売車両から入力された上記移動販売車両の販売情報を上記インターネットを介して上記システムサービス提供サーバの上記情報データベースの記憶装置に送信し、
上記システムサービス提供サーバは、上記通信手段から送信された上記販売情報を上記情報データベースの上記記憶装置に格納して、上記ウェブサイトに公開することにより、
上記サイト利用会員が、上記ウェブサイトにアクセスして、上記情報データベースを呼びだすとともに、上記ウェブサイトに販売情報を入力し、この販売情報にもとづいて、上記移動販売車両の販売内容を検索および閲覧し、かつ上記ウェブサイトに注文情報を入力し、この注文情報にもとづいて、上記移動販売車両の販売内容の予約注文をすることを特徴とする請求項１から３のいずれかに記載の移動販売車検索システム。
【請求項６】
上記インターネットに公開された上記ウェブサイトは、不特定多数の上記ウェブサイト閲覧者および上記サイト利用会員が、携帯電話またはパソコンから位置情報を上記ウェブサイトに入力することにより、上記システムサービス提供サーバの上記情報データベースの上記コースデータと、上記地図情報提供サーバの上記地図データベースの上記座標データを呼び出して、上記移動販売車両の位置を上記ウェブサイトの地図上の上記コースデータに表示することを特徴とする請求項１から５のいずれかに記載の移動販売車検索システム。
【発明の詳細な説明】
【技術分野】
【０００１】
本発明は、ラーメンや焼き芋などの移動販売車両の販売場所や商品情報などをインターネットを利用して、検索および閲覧することができる移動販売車両検索システムに関するものである。
【背景技術】
【０００２】
従来、ラーメンや焼き芋などの移動販売車両は、特定の販売コースを巡回したり、季節や天候によって販売コースを変更して巡回しながら、音楽やマイクを使った音声により、その存在を販売コースを巡回する地域住民に知らせて販売を行っていた。
【０００３】
この従来の販売では、特定のコースを決められた日時によって巡回する場合には、予め予想がつくため、食べたいものを食べたいときに購入することが可能である。しかし、季節や天候によって、コースを不定期に巡回する場合には、音楽や音声を聞き、どんなものを販売しているのか、またどの辺りにいるのかを、その音を頼りに移動販売車両を探して購入する必要があった。
【０００４】
また、高層ビルのマンション居住者が住民の多くを占める地域では、音響による移動販売が騒音になったり、室内に音が届かなかったりする場合が多く、また音を聞いてエレベータを降りても、既に移動販売車両が通り過ぎた後で、購入することができないこともあった。さらには、ライフスタイルの多様化によって、食事をする時間帯が早朝から深夜までの２４時間になり、各人がライフスタイルによって自由に選ぶようになった。
【０００５】
一方、移動販売車両を扱う側も、特定のコースを決められた日時により巡回する場合には、顧客を獲得しやすく、売り上げの維持や売れ残りなどを減らすことが可能となる。しかし、コースを季節やその日の天候などにより変更して巡回する場合には、特定の顧客や新規の顧客を確保すことが難しく、また商品の売れ残りが多発してしまうという問題がある。
【０００６】
そこで、最近オフィス街などでは、お昼時に移動販売車両を特定の場所に停車させて、お弁当などの販売を行うようになってきた。このお弁当などの販売では、ほぼ毎日同じ場所で販売しているため、探す手間が省けるとともに、価格も安価でＯＬやサラリーマンに人気があり、昼時には行列ができる移動販売車両もある。また、この販売する側にとっても、顧客を確保することが容易にできる。また、どれくらいの数が売れるのかを予測することが出来るため、売れ残りを少なくすることもできる。
【発明の概要】
【発明が解決しようとする課題】
【０００７】
ところが、この販売方法では、移動販売車両に積載されたお弁当などの種類や値段などは、その場所に行かなければ知ることが出来ない。また、種類によっては売り切れる場合もあり、折角行ったのに希望する種類のお弁当が買えずに、他の移動販売車両を探すか、コンビニや弁当屋を探さなければならない。そのため、お弁当を購入するだけで、お昼休みの大半を費やしてしまい、貴重な時間を有効に使えないという問題がある。
【０００８】
また、移動販売車両を扱う側も、お昼休みの時間内で売り切ることが可能なお弁当であれば、オフィス街の決められた場所で販売することにより、集客や売り上げを上げることはできるが、例えば、焼き芋などは、一定の場所に止まって販売しても、集客や売り上げを上げることが難しいという問題もある。
【０００９】
さらに、巡回地域や時間帯においては、売れ残りなどを考慮して、それほど多くの商品を積載しないため、大量の数の注文があると対応できない。また、購入者側では、移動販売車両に積載している商品数が少ないと認識しているため、大量の商品を移動販売車両で購入しずらいという問題もある。
【００１０】
本発明は、かかる事情に鑑みてなされたもので、移動販売車両の販売場所や巡回コースまたは販売商品の種類や値段を、予め携帯電話やパソコンにより検索および閲覧または事前通知および事前予約することができる移動販売車検索システムを提供することを課題とするものである。
【課題を解決するための手段】
【００１１】
上記課題を解決するために、請求項１に記載の発明は、移動販売車両のコースデータを予め登録したシステムサービス提供サーバの情報データベースを当該インターネット上に公開されたウェブサイトを介して検索および閲覧する移動販売車検索システムであって、上記移動販売車両に、移動した上記移動販売車両の位置の座標を緯度および経度から取得するＧＰＳと、当該座標を上記システムサービス提供サーバの上記情報データベースの記憶装置に送信する通信手段とを搭載し、上記通信手段は、上記ＧＰＳにより取得した上記座標を上記インターネットを介して上記システムサービス提供サーバに送信し、上記システムサービス提供サーバは、上記通信手段から送信された上記座標を上記情報データベースの記憶装置に格納するとともに、上記情報データベースの上記記憶装置に格納された上記座標にもとづいて、上記情報データベースに予め登録された上記コースデータを呼び出し、上記コースデータ上の登録地と照合しつつ、上記コースデータを更新して、上記ウェブサイトに公開することにより、ウェブサイト閲覧者が、上記ウェブサイトにアクセスして上記情報データベースを呼びだすとともに、上記ウェブサイトに位置情報を入力し、この位置情報にもとづいて、上記情報データベースに予め登録された上記コースデータまたは上記インターネットに接続された地図情報提供サーバの地図データベースの座標データを呼び出して、上記移動販売車両の位置を検索および閲覧することを特徴とするものである。
【００１２】
また、請求項２に記載の発明は、請求項１に記載の発明において、上記通信手段は、上記移動販売車両の販売開始または販売終了の操作によって、上記ＧＰＳが上記移動販売車両の位置を定期的に取得した座標を上記インターネットを介して自動的に上記システムサービス提供サーバの上記情報データベースの上記記憶装置に送信し、上記システムサービス提供サーバは、上記通信手段から送信された上記座標を上記情報データベースの上記記憶装置に格納するとともに、上記情報データベースの上記記憶装置に格納された上記座標にもとづいて、上記情報データベースに予め登録された上記コースデータを呼び出し、上記コースデータ上の登録地と照合しつつ、上記コースデータを更新して、上記ウェブサイトに公開することにより、上記ウェブサイト閲覧者が、上記ウェブサイトにアクセスして上記情報データベースを呼びだすとともに、上記ウェブサイトに位置情報を入力し、この位置情報にもとづいて、上記情報データベースに予め登録された上記コースデータまたは上記インターネットに接続された上記地図情報提供サーバの上記地図データベースの座標データを呼び出して、上記移動販売車両の位置を検索および閲覧することを特徴とするものである。
【００１３】
そして、請求項３に記載の発明は、請求項１または２に記載の発明において、上記通信手段は、上記移動販売車両の販売開始または販売終了の操作によって、上記ＧＰＳが上記移動販売車両の位置を定期的に取得した座標を上記インターネットを介して自動的に上記システムサービス提供サーバの上記情報データベースの上記記憶装置に送信し、上記システムサービス提供サーバは、上記通信手段から送信された上記座標を上記情報データベースの上記記憶装置に格納するとともに、上記情報データベースの上記記憶装置に格納された上記座標にもとづいて、上記情報データベースに予め登録されたサイト利用会員の登録データ呼び出し、当該サイト利用会員の登録データの登録地と照合し、一致した当該サイト利用会員に、上記インターネットを介して上記移動販売車両の到着通知を送信することを特徴とするものである。
【００１４】
さらに、請求項４に記載の発明は、請求項１から３のいずれかに記載の発明において、上記通信手段は、上記移動販売車両から入力された上記移動販売車両の販売情報を上記インターネットを介して上記システムサービス提供サーバの上記情報データベースの記憶装置に送信し、上記システムサービス提供サーバは、上記通信手段から送信された上記販売情報を上記情報データベースの上記記憶装置に格納して、上記ウェブサイトに公開することにより、上記ウェブサイト閲覧者および上記サイト利用会員が上記ウェブサイトにアクセスして、上記情報データベースを呼びだすとともに、上記ウェブサイトに販売情報を入力し、この販売情報にもとづいて、上記移動販売車両の販売内容を検索および閲覧することを特徴とするものである。
【００１５】
また、請求項５に記載の発明は、請求項１から３のいずれかに記載の発明において、上記通信手段は、上記移動販売車両から入力された上記移動販売車両の販売情報を上記インターネットを介して上記システムサービス提供サーバの上記情報データベースの記憶装置に送信し、上記システムサービス提供サーバは、上記通信手段から送信された上記販売情報を上記情報データベースの上記記憶装置に格納して、上記ウェブサイトに公開することにより、上記サイト利用会員が、上記ウェブサイトにアクセスして、上記情報データベースを呼びだすとともに、上記ウェブサイトに販売情報を入力し、この販売情報にもとづいて、上記移動販売車両の販売内容を検索および閲覧し、かつ上記ウェブサイトに注文情報を入力し、この注文情報にもとづいて、上記移動販売車両の販売内容の予約注文をすることを特徴とするものである。
【００１６】
そして、請求項６に記載の発明は、請求項１から５のいずれかに記載の発明において、上記インターネットに公開された上記ウェブサイトは、不特定多数の上記ウェブサイト閲覧者および上記サイト利用会員が、携帯電話またはパソコンから位置情報を上記ウェブサイトに入力することにより、上記システムサービス提供サーバの上記情報データベースの上記コースデータと、上記地図情報提供サーバの上記地図データベースの上記座標データを呼び出して、上記移動販売車両の位置を上記ウェブサイトの地図上の上記コースデータに表示することを特徴とするものである。
【発明の効果】
【００１７】
請求項１〜６に記載の本発明によれば、移動販売車両のコースデータを予めインターネットに接続されたシステムサービス提供サーバの情報データベースに登録し、インターネット上に公開されたウェブサイトを介して、当該コースデータを検索および閲覧する際に、移動した上記移動販売車両の位置の座標を緯度および経度から取得するＧＰＳと、当該座標を上記システムサービス提供サーバの上記情報データベースの記憶装置に送信する通信手段とを搭載しているため、上記販売車両内の現在位置を簡便に取得することができるとともに、上記通信手段を介して、上記ウェブサイトに上記移動販売車両の現在位置を公開することができる。これにより、上記ウェブサイトに正確な位置情報を迅速に公開することができ、ウェブサイト閲覧者がストレスなく上記移動販売車両を検索および閲覧することができる。
【００１８】
また、上記システムサービス提供サーバは、上記通信手段から送信された上記座標を上記情報データベースの記憶装置に格納するとともに、上記情報データベースの上記記憶装置に格納された上記座標にもとづいて、上記情報データベースに予め登録された上記コースデータを呼び出し、上記コースデータ上の登録地と照合しつつ、上記コースデータを更新して、上記ウェブサイトに公開することができるため、上記移動販売車両が予め登録したコースに従って巡回することにより、地図情報に則った正確な位置を上記ウェブサイトに公開することができる。これにより、上記ウェブサイト閲覧者は上記移動販売車両が現在どこの位置にあるのか、また今後どのコースを辿るのかを容易に知ることができる。
【００１９】
そして、上記ウェブサイト閲覧者は、上記ウェブサイトにアクセスして上記情報データベースを呼びだすとともに、上記ウェブサイトに位置情報を入力し、この位置情報にもとづいて、上記情報データベースに予め登録された上記コースデータまたは上記インターネットに接続された地図情報提供サーバの地図データベースの座標データを呼び出して、上記移動販売車両の位置を検索および閲覧することができるため、上記ウェブサイトにアクセスして、上記ウェブサイト閲覧者の位置情報を入力するだけで、近隣を移動販売している上記移動販売車両を探すことができる。この結果、上記移動販売車両を屋外に出て探す手間が省け、無駄な時間を浪費することを抑えることができる。
【００２０】
請求項２に記載の発明によれば、上記通信手段は、上記移動販売車両の販売開始または販売終了の操作によって、上記ＧＰＳが上記移動販売車両の位置を定期的に取得した座標を上記インターネットを介して自動的に上記システムサービス提供サーバの上記情報データベースの上記記憶装置に送信することができるため、上記移動販売車両が上記コースデータにもとづいて巡回する際に、販売拠点となる場所の位置情報を移動販売担当者が、上記通信手段により逐一上記インターネットを介して送信する必要がなくなる。これにより、煩わしい作業から解消されて、運転や販売に専念することができる。
【００２１】
請求項３に記載の発明によれば、上記通信手段は、上記移動販売車両の販売開始または販売終了の操作によって、上記ＧＰＳが上記移動販売車両の位置を定期的に取得した座標を上記インターネットを介して自動的に上記システムサービス提供サーバの上記情報データベースの上記記憶装置に送信するとともに、上記システムサービス提供サーバは、上記情報データベースの上記記憶装置に格納された上記座標にもとづいて、上記情報データベースに予め登録されたサイト利用会員の登録データ呼び出し、当該サイト利用会員の登録データの登録地と照合し、一致した当該サイト利用会員に、上記移動販売車両の到着通知を送信するため、上記サイト利用会員は、上記移動販売車両がどこの場所にいるかを、携帯電話またはパソコンを利用し、上記ウェブサイトを検索および閲覧する必要がない。この結果、何度も上記移動販売車両の位置を検索する手間が省けるとともに、上記移動販売車両の位置の確認が遅れて通過してしまうことをなくすことができる。
【００２２】
請求項４に記載の発明によれば、上記通信手段は、上記移動販売車両から入力された上記移動販売車両の販売情報を上記インターネットを介して上記システムサービス提供サーバの上記情報データベースの記憶装置に送信し、上記システムサービス提供サーバは、上記通信手段から送信された上記販売情報を上記情報データベースの上記記憶装置に格納して、上記ウェブサイトに公開することができるため、道路状況や悪天候など突発的な事態により、上記移動販売車両の販売場所や巡回コースの変更を余儀なくされた場合や、商品が品切れにした場合でも、上記移動販売車両内において、販売場所や巡回コースまたはお品書などを簡単に変更することができるとともに、変更した情報が上記通信手段を介して、簡便に上記ウェブサイトに公開することができる。これにより、上記ウェブサイト閲覧者および上記サイト利用会員は、上記移動販売車両の販売場所や巡回コースまたはお品書に変更があった場合でも、その変更情報にもとづいて検索および閲覧することができるため、移動販売の信頼および集客を向上させることができる。
【００２３】
請求項５に記載の発明によれば、上記通信手段は、上記移動販売車両から入力された上記移動販売車両の販売情報を上記インターネットを介して上記システムサービス提供サーバの上記情報データベースの記憶装置に送信するとともに、上記システムサービス提供サーバは、上記通信手段から送信された上記販売情報を上記ウェブサイトに公開することにより、上記サイト利用会員が、上記ウェブサイトにアクセスして、上記ウェブサイトに販売情報を入力し、上記移動販売車両の販売内容を検索および閲覧し、かつ上記ウェブサイトに注文情報を入力し、この注文情報にもとづいて、上記移動販売車両の上記販売内容の予約注文するため、上記サイト利用会員は、予め欲しい商品を自由に選択することができるとともに、欲しい商品が品切れにより買えなかったりすることがない。また、上記移動販売車両においても、上記移動販売車両に積載する販売商品の在庫調整することができ、売れ残りを減らすことができる。
【００２４】
請求項６に記載の発明によれば、上記インターネットに公開された上記ウェブサイトは、不特定多数の上記ウェブサイト閲覧者および上記サイト利用会員が、携帯電話またはパソコンから位置情報を上記ウェブサイトに入力することにより、上記システムサービス提供サーバの上記情報データベースの上記コースデータと、上記地図情報提供サーバの上記地図データベースの上記座標データを呼び出して、上記移動販売車両の位置を上記ウェブサイトの地図上の上記コースデータに表示するため、インターネット接続用の端末機器があれば、誰でも簡単に上記ウェブサイトにアクセスして、視覚により上記移動販売車両を確認することができ、容易に上記移動販売車両の販売場所を探すことができるとともに、先回りして上記移動販売車両の到着を待つことができる。
【００２５】
また、上記移動販売車両の販売場所および巡回コースを地図上に表示しているため、上記ウェブサイト閲覧者の場所から、最短距離を通り上記移動販売車両に辿り着くことができるとともに、その地域に詳しくない場合でも、迷うことなく上記移動販売車両に辿り着くことができる。この結果、時間に余裕がない場合でも、容易に利用することができる。さらに、上記ウェブサイト閲覧者および上記サイト利用会員がどこにいても、どの時間帯でも上記ウェブサイトにアクセスすることが可能であるため、上記移動販売車両を上記ウェブサイト閲覧者のライフスタイルに合わせて巡回することができる。これにより、新規顧客を獲得する機会を増やすことができる。
【図面の簡単な説明】
【００２６】
【図１】本発明の移動販売車検索システムの一実施形態を示す概略図である。
【図２】本発明の移動販売車検索システムの移動販売事業者用の登録画面を示し、（ａ）は移動販売車検索サービス・会員画面のトップ画面、（ｂ）は移動販売車検索サービス・メニュー画面、（ｃ）はＧＰＳ機能端末登録画面、（ｄ）は移動販売車両登録画面、（ｅ）は会員登録画面、（ｆ）はお品書登録画面である。
【図３】本発明の移動販売車検索システムの移動販売事業者用の登録用画面を示し、（ａ）は移動販売車コース登録画面画面、（ｂ）は移動販売車コース日付更新画面、（ｃ）は移動販売車コース登録用地図画面、（ｄ）は地図による動販売車コース登録画、（ｅ）は移動販売車コースの照会画面である。
【図４】本発明の移動販売車検索システムの移動販売事業者が照会可能な移動販売車コース実績用画面を示し、（ａ）は移動販売車コース実績照会の入力画面、（ｂ）は地図により移動販売車販売コース実績を表示した画面、（ｃ）は移動販売車両で販売する商品の積み込み数を入力する画面、（ｄ）は販売スポットごとの販売数を入力する画面である。
【図５】本発明の移動販売車検索システムの現在地点情報取得・更新を示すフローチャート図である。
【図６】本発明の移動販売車検索システムのシステムサービス提供サーバの情報データベースに登録されたデータを示し、（ａ）は会員データ、（ｂ）はお品書データ、（ｃ）は移動販売車実績データ、（ｄ）は移動販売車コースデータである。
【図７】本発明の移動販売車検索システムのウェブサイト閲覧者の検索・閲覧画用画面を示し、（ａ）は検索項目入力画面、（ｂ）は検索結果画面、（ｃ）は（ｂ）の検索結果から販売車両のリンクを表示したテキスト用の移動販売場所閲覧画面、（ｄ）はサイト利用会員のログイン画面である。
【図８】本発明の移動販売車検索システムのウェブサイト閲覧者の検索・閲覧画用画面を示し、（ａ）は図７（ｂ）の検索結果から販売車両のリンクを表示した地図用の移動販売場所閲覧画面、（ｂ）は図７（ｃ）のお品書ボタンをクリックして表示されるお品書画面である。
【図９】図７（ｄ）のログイン画面からサイト利用会員登録の登録完了までの流れを示すチャート図である。
【図１０】本発明の移動販売車検索システムのウェブサイト閲覧者の登録情報を入力する画面を示し、（ａ）はサイト利用会員登録入力画面、（ｂ）は到着お知らせエリア登録情報入力下面、（ｃ）は注文予約登録入力書画面、（ｄ）はサイト利用会員登録情報の修正情報入力画面である。
【図１１】図１０（ｂ）の到着お知らせエリア登録情報に基づいて、移動販売車両からサイト利用会員への到着メール配信を送信するまでの過程を示すフローチャート図である。
【図１２】図１０（ｂ）の到着お知らせエリア登録情報を示し、（ａ）は当日の配達コースごとのメール送信者の情報の一覧表、（ｂ）到着エリアごとのメール配信者の情報の一覧表である。
【図１３】図１０（ｃ）の注文予約登録の登録完了までの流れを示すチャート図である。
【発明を実施するための形態】
【００２７】
以下、図面を参照しつつ、本発明に係る移動販売車検索システムの一実施形態について説明する。
まず、本実施形態の移動販売車検索システムの概略を説明すれば、図１に示すように、移動販売車両１の位置の緯度および経度から座標を取得するＧＰＳ４と、当該座標をインターネット２に送信する演算装置５および通信手段６とを備えたＧＰＳ機能端末３を搭載した移動販売車両１を有するとともに、インターネット２に接続されている移動販売車両１のコースデータを予め登録したシステムサービス提供サーバ７の情報データベース８と、インターネット２に接続されている地図情報提供サーバ９の地図データベース１０とを備えて概略構成されている。
【００２８】
ここで、移動販売車両１は、複数の商品を積載して移動することができ、動力の有無に関係なく、自動車または人力やバイクなどで牽引するリヤカーが用いられている。
【００２９】
また、ＧＰＳ機能端末３は、ＧＰＳ機能付携帯電話が用いられる。このＧＰＳ機能付携帯電話３は、ＧＰＳ４、演算装置５、通信手段６を備えている。さらに、通信手段６は、到着通知機能６ａおよび注文通知機能６ｂを備えている。そして、システムサービス提供サーバ７の情報データベース８の記憶装置には、移動販売車両１を保有する移動販売事業社の会員情報や、移動販売車両１のコース情報、お品書情報など、移動販売に用いられるデータ情報が登録される。また、地図情報提供サーバ９の地図データベース１０には、日本全国の座標データおよび地図データが登録されている。
【００３０】
そして、本発明の移動販売車検索サービスを利用するために、ウェブサイト運用センタおよび移動販売事業社（移動販売事業者）が会員情報やコース情報を登録・更新、およびウェブサイト閲覧者が検索・閲覧を行うための専用のウェブサイトが、インターネット２上に公開されている。
【００３１】
ちなみに、ウェブサイト運用センタは、本発明の移動販売車検索システムの運用管理を行う企業である。また、移動販売事業社は、移動販売車両１を管理運用する企業であり、移動販売事業者は、本発明の移動販売車検索システムを利用する当該移動販売事業社の担当者である。さらに、ウェブサイト閲覧者は、専用のウェブサイトから本発明の移動販売車検索システムを利用して、移動販売車両１を検索および閲覧する不特定多数の顧客である。
【００３２】
ここで、本発明の上記一実施形態による構成において、ＧＰＳ機能付携帯電話３をパーソナルコンピュータに代えても対応することが可能である。この場合には、ＧＰＳ４として、パーソナルコンピュータにＵＳＢインターフェイスを介して接続されるＧＰＳユニットが用いられるとともに、通信手段６として、例えば、３Ｇ通信網または公衆無線ＬＡＮ通信網を利用したデータ通信カードが用いられる。
本実施形態においては、便宜上ＧＰＳ機能端末３をＧＰＳ機能付携帯電話３を用いて説明する。
【００３３】
本発明による本実施形態の移動販売車検索システムを用いるためには、まず上記移動販売事業社において、この移動販売車検索システムを管理運用している企業の上記ウェブサイト運用センタに、会社情報など必要な情報をメールまたはＦＡＸを用いて連絡する。そして、この連絡のあった会社情報などを元に、上記ウェブサイト運用センタは、パーソナルコンピュータ１３を使いインターネット２にアクセスして、会社情報や販売する商品のジャンルなどを、システムサービス提供サーバ７の情報データベース８の記憶装置に送信して登録するとともに、会員ＩＤおよびパスワードを発行する。
【００３４】
そして、会員ＩＤおよびパスワードの連絡を受けた上記移動販売事業社は、上記移動販売事業者によって、パソコン１４から、上記ウェブサイト運用センタが管理運用する本発明の移動販売車検索システムの専用のウェブサイトにアクセスし、図２（ａ）に示すように、移動販売車検索サービス・会員利用画面を表示する。そして、この画面上に表示されているコンボボックスに、発行された会員ＩＤおよびパスワードをテキスト入力し、ログインボタンをクリックすると、システムサービス提供サーバ７の情報データベース８に登録されている会員情報を参照し、会員ＩＤおよびパスワードの認証が取れると、図２（ｂ）に示すように、画面が移動販売車検索サービス・メニューに移動する。
【００３５】
さらに、移動販売車検索サービス・メニュー画面のリンクリストから、ＧＰＳ機能端末登録をクリックして、ＧＰＳ機能端末登録のリンク先に移動すると、図２（ｃ）に示すように、ＧＰＳ機能端の登録画面が表示される。そして、ＧＰＳ機能端の登録画面に表示されているコンボボックスに、携帯電話番号、メールアドレス、携帯電話メーカー、携帯電話の型番をテキスト入力し、登録・修正ボタンをクリックすると、システムサービス提供サーバ７の情報データベース８の上記記憶装置に送信され登録される。この際に登録できる携帯電話は、ＧＰＳ機能が付いた携帯電話のみとなる。
【００３６】
また、ＧＰＳ機能付携帯電話３が既に登録されている場合には、上記ＧＰＳ機能端末登録画面から、照会ボタンをクリックすることにより、登録したＧＰＳ機能付携帯電話３を照会することができる。さらに、登録したＧＰＳ機能付携帯電話３を削除したい場合には、上記ＧＰＳ機能端末登録画面から、削除ボタンをクリックすることにより削除することができる。また登録内容を修正した場合には、登録・修正ボタンをクリックして再登録を行う。
【００３７】
そして、ＧＰＳ機能付携帯電話３の登録が終了したら、上記ＧＰＳ機能端末登録画面の戻るのボタンをクリックして、再び上記移動販売車検索サービス・メニュー画面に戻り、この画面のリンクリストから、次に移動販売車登録をクリックして、移動販売車両登録のリンク先に移動すると、図２（ｄ）に示すように、移動販売車両登録画面が表示される。そして、移動販売車両登録画面に表示されているジャンルをドロップダウンリストから選択するとともに、コンボボックスに車種番号、お店名、販売車名をテキスト入力し、登録・修正ボタンをクリックすると、システムサービス提供サーバ７の情報データベース８の上記記憶装置に送信され登録される。
【００３８】
また、上記移動販売車両登録画面のドロップダウンリストに表示されるジャンルは、上記移動販売業社が会員ＩＤを取得する際に、上記ウェブサイト管用センタに連絡した会社情報にもとづいて、システムサービス提供サーバ７の情報データベース８に登録された内容が表示される。そして、上記移動販売車両登録画面においても、上記ＧＰＳ機能端末登録画面と同様に、登録内容の紹介および削除することができるとともに、修正して再登録を行うことができる。
【００３９】
そして、移動販売車両１の登録が終了したら、上記移動販売車両登録画面の戻るのボタンをクリックして、再び上記移動販売車検索サービス・メニュー画面に戻り、この画面のリンクリストから、次に会員登録をクリックして、会員登録のリンク先に移動すると、図２（ｅ）に示すように、会員登録画面が表示される。そして、会員登録画面に表示されているコンボボックスに、会員ＩＤ、パスワード、名称をテキスト入力するとともに、ラジオボタンで販売員、管理者またはその両方の利用区分をクリックにより選択して、次にドロップダウンリストからＧＰＳ機能付携帯、ジャンル、販売車名を選択し、登録・修正ボタンをクリックすると、システムサービス提供サーバ７の情報データベース８の上記記憶装置に送信され登録される。
【００４０】
また、上記会員登録画面のドロップダウンリストに表示される表示されるジャンルは、上記移動販売車両登録画面に表示された内容と同じものである。そして、ＧＰＳ機能付携帯、販売者名は、システムサービス提供サーバ７の情報データベース８に登録された上記ＧＰＳ機能端末登録および上記移動販売車両登録の内容にもとづいて表示される。そして、上記会員登録画面においても、上記ＧＰＳ機能端末登録画面と同様に、登録内容の紹介および削除することができるとともに、修正して再登録を行うことができる。
【００４１】
そして、会員登録が終了したら、上記会員登録画面の戻るのボタンをクリックして、再び上記移動販売車検索サービス・メニュー画面に戻り、この画面のリンクリストから、次にお品書登録をクリックして、お品書登録のリンク先に移動すると、図２（ｆ）に示すように、お品書登録画面が表示される。そして、お品書登録画面に表示されているドロップダウンリストから、ジャンルを選択するとともに、コンボボックスに、お品書、価格をテキスト入力し、登録・修正ボタンをクリックすると、システムサービス提供サーバ７の情報データベース８の上記記憶装置に送信され登録される。
【００４２】
また、上記お品書登録画面のドロップダウンリストに表示されるジャンルは、上記移動販売車両登録画面に表示された内容と同じものである。そして、上記会員登録画面においても、上記ＧＰＳ機能端末登録画面と同様に、登録内容の紹介および削除することができるとともに、修正して再登録を行うことができる。
【００４３】
そして、お品書登録が終了したら、上記会員登録画面の戻るのボタンをクリックして、再び上記移動販売車検索サービス・メニュー画面に戻り、この画面のリンクリストから、次に移動販売コース登録をクリックして、移動販売コース登録のリンク先に移動すると、図３（ａ）に示すように、移動販売コース登録画面が表示される。そして、移動販売コース登録画面に表示されているドロップダウンリストから、ジャンル、販売車名、販売日付、時間を選択し、登録・修正ボタンをクリックすると、システムサービス提供サーバ７の情報データベース８の上記記憶装置に送信され登録される。
【００４４】
また、上記移動販売コース登録画面のドロップダウンリストに表示されるジャンルは、上記移動販売車両登録画面に表示された内容と同じものである。そして、ＧＰＳ機能付携帯、販売車名は、システムサービス提供サーバ７の情報データベース８に登録された上記ＧＰＳ機能端末登録および上記移動販売車両登録の内容にもとづいて表示される。さらに、上記会員登録画面においても、上記ＧＰＳ機能端末登録画面と同様に、登録内容の紹介および削除することができるとともに、修正して再登録を行うことができる。
【００４５】
さらに、上記移動販売コース登録において、登録した日付を変更して登録するには、上記移動販売コース登録終了後、再び上記移動販売車検索サービス・メニュー画面に戻り、この画面のリンクリストから、移動販売コース日付更新登録をクリックして、移動販売コース日付更新登録のリンク先に移動すると、図３（ｂ）に示すように、移動販売コース日付更新登録画面が表示される。そして、日付を変更したい移動販売コースに表示されているドロップダウンリストから、ジャンル、販売者名、日付を選択するとともに、移動販売コース日付更新に表示されているドロップダウンリストから、販売者名、日付を選択し、登録・修正ボタンをクリックすると、システムサービス提供サーバ７の情報データベース８の上記規則装置に送信され登録される。
このように、同じジャンルのものを同じコースで巡回する場合には、日付を変更することにより登録することができる。
【００４６】
また、上記移動販売コース登録は、インターネット２に接続されている地図情報提供サーバ９の地図データベース１０を参照して行うことができる。これは、図４（ｃ）に示すように、地図データ上から、目的の場所を選択して、図３（ｄ）に示すように、地図が表示された移動販売車コース登録画面に移動する。そして、表示されている実際に巡回するコースの地図を参照しながら、出発地、経由地、終了地の座標（緯度・経度）取得して登録することができる。この地図データは、拡大および縮小可能であり、上記地図データ上をクリックすることによって、場所名と座標を取得することができる。
【００４７】
そして、上記移動販売車コース登録画面では、巡回するコースの地図を拡大または縮小して表示した後に、まず地図上で出発地をクリックして、画面上側にある出発地ボタンをクリックすると、地図の下側に出発地の場所名が表示される。次いで、地図上で販売の拠点となる経由地をクリックして、画面上側にある経由地ボタンをクリックする。この経由地は、複数存在するため、繰り返し地図上側をクリックして、その都度画面上側にある経由地ボタンをクリックして、場所名および座標を取得する。そして、地図上で終了地を同じくクリックして、画面上側にある終了地ボタンをクリックすると、地図の下側に終了地の場所名が表示される。
【００４８】
また、地図表示用の上記移動販売コース登録画面において登録した巡回コースは、画面下側のコースボタンをクリックすることにより、図３（ｅ）に示すように、移動販売車両のコースを上記地図データ上に表示することができる。この際、間違いがあった場合には、地図の下側に表示されている出発地、経由地、終了地の場所名の右側の削除ボタンをクリックして削除してから、修正場所を画面上で再度クリックして修正を行う。そして、移動販売車両のコースの確認が終了した後に、画面下側の登録・修正ボタンをクリックすると、システムサービス提供サーバ７の情報データベース８の上記記憶装置に送信され登録される。
【００４９】
以上のように、本発明の移動販売車検索システムの専用のウェブサイトから、移動販売事業者によって、システムサービス提供サーバ７の情報データベース８に送信され登録された各々登録データは、販売情報として、システムサービス提供サーバ７の演算装置５によって処理されて、上記専用ウェブサイトに公開されるとともに、移動販売車両１を使用して販売が開始される。
【００５０】
そして、本発明の移動販売車検索システムは、上記販売情報を登録したシステムサービス提供サーバ７の情報データベース８を、インターネット上に公開された上記ウェブサイトを介して、ウェブサイト閲覧者が検索および閲覧するものであり、移動販売車両１に搭載したＧＰＳ機能付携帯電話３によって、販売コースを移動した移動販売車両１の位置の座標を緯度および経度から取得するとともに、当該座標を上記システムサービス提供サーバの上記情報データベースの記憶装置に、ＧＰＳ機能付携帯電話３の通信手段６によって送信する。
【００５１】
この際に、システムサービス提供サーバ７は、ＧＰＳ機能付携帯電話３の通信手段６から送信された上記座標を情報データベース８の記憶装置に格納するとともに、情報データベース８の上記記憶装置に格納された上記座標にもとづいて、情報データベース８に予め登録されたコースデータを呼び出し、当該コースデータ上の登録地と照合しつつ、当該コースデータを更新して、上記ウェブサイトに公開する。
【００５２】
さらに、ＧＰＳ機能付携帯電話３は、移動販売車両１の販売開始または販売終了の操作をＧＰＳ機能付携帯電話３の演算装置５によって処理することにより、ＧＰＳ機能付携帯電話３のＧＰＳ４が定期的に作動して、移動販売車両１の位置の座標を取得するとともに、取得した上記座標が通信手段６から、自動的にシステムサービス提供サーバ７の情報データベース８の上記記憶装置に送信する。
【００５３】
このように、予め登録したコースを巡回している移動販売車両１の上記座標を自動的に逐一送信して、登録されている移動販売車両１の上記コースデータを照合しつつ、上記コースデータを更新する参照しつつ更新する方法について、以下に図５のフローチャート図および図６の表をもとに説明する。
【００５４】
まず、予めシステムサービス提供サーバ７の情報データベース８に登録した移動販売コースの開始地点に、移動販売車両１を移動させて、ＧＰＳ機能付携帯電話３から販売開始の操作を行う。このときに、開始の命令が、ＧＰＳ機能付携帯電話３の演算装置５により処理されて、ＧＰＳ４のＧＰＳ受信部が起動するとともに、移動販売車両１の現在位置の緯度および経度から座標を取得する。
【００５５】
次いで、取得した上記座標と図６（ａ）に示す会員データと共に、ＧＰＳ機能付携帯電話３の演算装置５を介して通信手段６から、インターネット２に接続されたシステムサービス提供サーバ７の情報データベース８の上記記憶装置に送信される。そして、この情報データベース８の上記記憶装置に送信された上記会員データと、予めシステムサービス提供サーバ７の情報データベース８に登録されている会員情報とを照合して、移動販売車両１がどこの移動販売業者社の車両かを判定する。この際に、予めシステムサービス提供サーバ７の情報データベース８に登録されている上記コースデータを情報データベース８の上記記憶装置から呼び出す。
【００５６】
次に、通信状態判定により、ＧＰＳ機能付携帯電話３で行った操作が、開始または終了の何れかであるかを判定して、開始または終了の操作である場合には、情報データベース８内の上記コースデータが更新される。また、開始後に定期的に送信される通信状態は、終了以外であれば、上記座標データにより現在地点情報が情報データベース８に登録されるとともに、座標判断が行われ、予め情報データベース８に登録されている上記コースデータの経由地（販売拠点地）であるかを、送信された上記座標から判断して、登録した経由地であれば、移動販売実績データおよび移動販売車コースデータが更新される。この更新は、専用の上記ウェブサイトに反映される。
【００５７】
そして、移動販売開始から終了まで、ＧＰＳ機能付携帯電話３から情報データベース８の上記記憶装置に送信される上記会員データおよび上記座標から、図６（ｃ）に示すように、会員ＩＤごとの到着時間（通過）、状態、到着経度、到着緯度の更新データが上記移動販売車実績データとして、情報データベース８に登録される。また、この移動販売車実績データから、図６（ｄ）に示すように、会社ごとのジャンル、お店、販売者名、販売開始日、時間、開始（システム開始時間）、終了（システム終了時間）、順番（コース順）、場所、経度、緯度、到着日（経由地）、時間の更新データが、移動販売車コースとして、情報データベース８に登録される。
【００５８】
なお、予め登録した移動販売コースの開始地、経由地、終了地の緯度および経度と、ＧＰＳ機能付携帯電話３のＧＰＳ４で取得した緯度および経度が誤差範囲内の場合には、図６（ｃ）の上記移動販売実績データが自動更新され、その更新により、図６（ｄ）の上記移動販売車コースも更新される。これにより、予めシステムサービス提供サーバ７の情報データベース８に登録された移動販売車両１の上記コースデータを照合して、専用の上記ウェブサイトに公開される地図上のコースに移動販売車両１の現在位置が表示される。
【００５９】
さらに、ＧＰＳ機能付携帯電話３の販売開始の操作から、販売終了の操作が行われるまで、例えば、２分毎に繰り返しＧＰＳ機能付携帯電話３の演算装置５が作動して、ＧＰＳ４により、現在位置の座標を取得し、取得した当該座標が上記会員データとともに、演算装置５を介して通信手段６から、インターネット２に接続されたシステムサービス提供サーバ７の情報データベース８の上記記憶装置に登録される。そして、再び上記座標データおよび上記会員データが、システムサービス提供サーバ７の演算装置５により、移動販売車両１判定、通信状態判定、座標の判断が行われ、予め登録されている座標と異なっていた場合には、図６（ｃ）に示すように、情報データベース８内の上記移動販売車実績データが更新される。また、上記移動販売車実績データから、図６（ｄ）に示すように、移動販売車コースの販売場所が更新される。
【００６０】
また、ＧＰＳ機能付携帯電話３から販売終了の操作が行われると、ＧＰＳ４によって、移動販売車両１の現在位置の緯度および経度から座標が取得され、ＧＰＳ４のＧＰＳ受信部が停止する。そして、取得した座標が演算装置５により処理され、会員データとともに通信手段６から、インターネット２に接続されたシステムサービス提供サーバ７の情報データベース８の記憶装置に送信される。この情報データベース８の記憶装置に登録された上記座標データおよび上記会員データは、システムサービス提供サーバ７の演算装置５により、移動販売車両１が判定され、続いて通信状態が判定が判定され、終了の場合には、情報データベース８の記憶装置に登録されている上記移動販売実績データが更新されるとともに、上記移動販売車データが更新され販売が終了する。
【００６１】
さらに、販売終了後に、移動販売事業者が、ＧＰＳ機能付携帯電話３から、上記専用のウェブサイトにアクセスして、上記移動販売車検索サービス・メニュー画面のリンクリストから、移動販売車販売コース実績をクリックして、移動販売車販売コース実績のリンク先に移動すると、図４（ａ）に示すように、移動販売車販売コース実績照会画面が表示される。
【００６２】
そして、移動販売車販売コース実績照会画面に表示されているドロップダウンリストから、ジャンル、販売車名を選択し、コンボボックスに販売日をテキスト入力して、照会ボタンをクリックすると、システムサービス提供サーバ７の情報データベース８を参照して、画面の下側に、ジャンル毎の販売車名、販売日がリスト表示される。この際に、販売日はリンクリストになっていて、何れかをクリックすると、図４（ｂ）に示すように、移動販売車販売コース実績画面が表示される。この移動販売車販売コース実績画面は、ジャンル、お店、販売車名、販売日とともに、移動販売車コースおよび経由地（販売場所）の座標をもとに、地図上に表記される。
【００６３】
また、図４（ａ）の移動販売車販売コース実績記照会画面のドロップダウンリストから、ジャンル、販売車名を選択し、コンボボックスに販売日をテキスト入力した後に、ＣＳＶ出力ボタンをクリックすることにより、移動販売車販売コース実績データをＣＳＶデータとして出力することができる。このＣＳＶデータは、例えば、表計算ソフトなどに、挿入して利用することができる。
【００６４】
なお、図４（ａ）の移動販売車販売コース実績照会画面に表示されるリストは、予め図４（ｃ）に示すように、積み込み入力画面において入力した情報と、図４（ｄ）に示すように、販売入力画面において入力した情報が基になっている。
【００６５】
また、上記積み込み入力画面では、移動販売車両１に積み込む商品の数を商品ごとにドロップダウンリストから選択し、画面下方の積込ボタンをクリックして確定する。そして、この確定した情報は、インターネット２を介して、システムサービス提供サーバ７の情報データベース８の上記記憶装置に格納される。そして、上記販売入力画面では、移動販売車両１の販売スポットをドロップダウンリストから選択するとともに、この販売スポットで販売された商品の数をメニューごとにドロップダウンリストから選択して登録する。この登録情報は、インターネット２を介して、システムサービス提供サーバ７の情報データベース８の上記記憶装置に格納される。
【００６６】
そして、移動販売車両１のＧＰＳ機能付携帯電話３から、移動販売車両１の上記販売情報を入力することにより、ＧＰＳ機能付携帯電話３の演算装置５を介して通信手段６から、システムサービス提供サーバ７の情報データベース８の上記記憶装置に送信することにより、上記販売情報を上記情報データベースの上記記憶装置に格納して登録または更新することができる。
【００６７】
さらに、本実施形態の移動販売車検索システムをインターネット上の専用のウェブサイトに公開して、不特定多数のウェブサイト閲覧者が移動販売車両１を検索および閲覧するには、まず、ウェブサイトを閲覧可能な携帯電話１１またはパソコン１２のウェブブラウザを開いて、移動販売車検索システムが運営されている専用のウェブサイトにアクセスする。
【００６８】
次いで、図７（ａ）に示すように、上記専用のウェブサイトの移動販売車検索サービスの検索画面に表示されているドロップダウンリストから展開都道府県を選択し、コンボボックスに場所（市町村）をテキスト入力した後に、さらにドロップダウンリストからジャンルを選択して検索ボタンをクリックする。すると、システムサービス提供サーバ７の情報データベース８に登録されているデータを参照して、移動販売車検索結果が、図７（ｂ）に示すように、画面に表示される。この移動販売車検索結果の画面には、地図表示をするまたはしないのラジオボタンと、上記検索画面において、選択および入力した場所に該当するジャンルとお店の名称が表示されるとともに、このお店の販売車名がリンクリストとして表示される。
【００６９】
そして、上記地図表示しないのラジオボタンを選択し、販売者名のリンクをクリックすると、情報データベース８に登録されているデータが参照され、図７（ｃ）に示すように、場所、ジャンル、お店、販売車名と、この販売車のお品書ボタンが表示されるとともに、巡回コースの販売場所（移動拠点）および到着場所がリストとして表示される。
【００７０】
また、上記検索結果画面において、地図表示のラジオボタンをするに選択して、販売車名のリンクリストをクリックすると、システムサービス提供サーバ７の情報データベース８および地図情報提供サーバ９の地図データベース１０が参照され、図８（ａ）に示すように、場所、ジャンル、お店、販売車名と、この販売車のお品書ボタンが表示されるとともに、巡回コースの販売場所（移動拠点）および到着場所が地図上に表示される。
【００７１】
そして、図７（ｃ）および図８（ａ）の販売車毎の販売場所を表示している画面にあるお品書ボタンをクリックすると、情報データベース８が参照され、図８（ｂ）に示すように、お品書画面が表示される。このお品書画面には、お店と、このお店のメニューが価格とともにリストにされるとともに、在庫状況が◎および×または残数により表示される。ちなみに、在庫状況の表示の×および◎は、×が０個、◎が１０個以上の残数があることを示している。
【００７２】
また、本実施形態の移動販売車検索システムをインターネット上の専用のウェブサイトに公開して、不特定多数のウェブサイト閲覧者が会員登録を行い、サイト利用会員になることにより、到着場所の連絡および商品を予め注文することができる。
【００７３】
この不特定多数のウェブサイト閲覧者が、サイト利用会員として会員登録を行うには、まず、ウェブサイトを閲覧可能な携帯電話１１またはパソコン１２のウェブブラウザを開いて、移動販売車検索システムが運営されている専用のウェブサイトにアクセスする。そして、図７（ａ）に示すように、このウェブサイトのトップ画面にあるログインボタンをクリックして、図７（ｄ）に示すように、ログイン画面を開く。
【００７４】
次に、上記ログイン画面の会員登録ボタンをクリックして、表示される画面に従って、件名および本文を記載しない、いわゆる空メールを送信する。そして、図９に示すように、送信された空メールは、システムサービス提供サーバ７に送られる。されに、この空メールを送信後に、システムサービス提供サーバ７から上記空メールを送信者のメールアドレス宛てに、会員登録ウェブサイトのＵＲＬを記載記したメールを自動送信する。
【００７５】
さらに、この会員登録ウェブサイトのＵＲＬが記載されたメールを受信した上記ウェブサイト閲覧者が、携帯電話１１またはパソコン１２のウェブブラウザで、図１０（ａ）に示すように、会員登録ウェブサイトにアクセスして、空メールを送ったメールアドレスが表示された会員登録画面から、氏名、任意のパスワード、会社名、連絡先などを記入して登録を行う。この際、登録されたメールアドレスに、登録完了のお知らせおよび会員番号を記載したメールが送付される。これにより、サイト利用会員になることができる。
【００７６】
そして、上記サイト利用会員は、移動販売車検索システムが運営されている専用のウェブサイトにアクセスし、図７（ａ）に示すウェブサイトのトップ画面にあるログインボタンをクリックして、図７（ｄ）に示すログインページより、送付された上記会員番号と登録したパスワードを入力しログインすることにより、到着お知らせエリア登録および注文予約登録が行えるようになる。なお、上記サイト利用会員は、会員登録した内容を、図１０（ｄ）に示すように、サイト利用会員修正画面において、会員番号およびメールアドレス以外の項目を適宜変更することができる。
【００７７】
ここで、会員登録することにより、上記サイト利用会員が利用できる到着お知らせ機能について説明する。
この到着お知らせ機能を利用するには、まず、上記サイト利用会員が、図１０（ｂ）に示すように、上記ログイン画面よりログインした後に、到着お知らせエリア登録画面を開き、この画面のドロップダウンリストから、エリア、ジャンル、お知らせエリア、お店を指定する。そして、メール送信条件として、受信曜日のチェックボックスおよび受信時間帯のドロップダウンリストから、受信時間を指定して、最後に登録ボタンをクリックして、登録を完了させる。この到着お知らせエリア登録は、複数件登録することが可能である。
【００７８】
また、上記サイト利用会員が登録した到着お知らせエリア登録情報は、インターネット２を介して、システムサービス提供サーバ７に送られ、情報データベース８の上記記憶装置に格納される。上記記憶装置に格納された到着お知らせエリア登録情報は、図１１に示すように、移動販売車両１が販売スポットに到着した際に、ＧＰＳ機能付携帯電話３に備えられた販売スポット到着お知らせメールを配信する到着通知機能６ａを起動し、通信手段６を介して、販売スポットの位置情報をシステムサービス提供サーバ７に送る。
【００７９】
そして、システムサービス提供サーバ７において、配信エリア確認が行われる。この配信エリア確認は、移動販売車両１の配信起動を確認後に、情報データベース８の上記記憶装置に格納されている到着お知らせエリア登録情報を呼び出して、移動販売車両１から送られてきた販売スポットの位置情報と検証する。その際に、送られてきた販売スポットのエリアに、登録したサイト利用会員が検出された場合には、配信条件判定が行われる。
【００８０】
この配信条件判定においては、上記サイト利用会員が登録した曜日、時間帯、お店、ジャンルが一致するかを検証し、一致する到着お知らせエリア登録情報が検出された場合には、一致した到着お知らせエリア登録情報を登録したサイト利用会員にメールを送信して、移動販売車両１の到着をお知らせする。
【００８１】
また、配信条件判定のおいて、一致する到着お知らせエリア登録情報が検出されなかった場合には、再度上記配信エリア確認および上記配信条件判定が行われる。これは、上記配信条件判定において、登録した時間帯の少し前に、移動販売車両１が到着した場合でも、販売スポットを移動しないかぎり、上記配信条件判定を行うことにより、登録した時間堤になると、条件に一致したサイト利用会員にメールを送信して、移動販売車両１の到着をお知らせすることができる。
【００８２】
さらに、上記到着お知らせエリア登録画面において、上記サイト利用会員が登録し情報は、図１２（ａ）または図１２（ｂ）に示すように、一覧表として集計されて、システムサービス提供サーバ７の情報データベース８の上記記憶装置に格納されて、上記配信エリア確認および配信条件判定に利用される。
【００８３】
次に、上記サイト利用会員が利用できるもう一つの機能である注文予約について説明する。
この注文予約機能を利用するには、まず、上記サイト利用会員がログイン後、図７（ａ）に示すように、一般の上記ウェブサイト利用者が検索するのと同様に、上記専用のウェブサイトの移動販売車検索サービスの検索画面に表示されているドロップダウンリストから展開都道府県を選択し、コンボボックスに場所（市町村）をテキスト入力した後に、さらにドロップダウンリストからジャンルを選択して検索ボタンをクリックする。すると、システムサービス提供サーバ７の情報データベース８に登録されているデータを参照して、移動販売車検索結果が、図７（ｂ）に示すように、画面に表示される。この移動販売車検索結果の画面には、地図表示をするまたはしないのラジオボタンと、上記検索画面において、選択および入力した場所に該当するジャンルとお店の名称が表示されるとともに、このお店の販売車名がリンクリストとして表示される。
【００８４】
そして、上記地図表示しないのラジオボタンを選択し、販売者名のリンクをクリックすると、情報データベース８に登録されているデータが参照され、図７（ｃ）に示すように、場所、ジャンル、お店、販売車名と、この販売車のお品書ボタンが表示されるとともに、巡回コースの販売場所（移動拠点）および到着場所がリストとして表示される。
【００８５】
なお、上記検索結果画面において、地図表示のラジオボタンをするに選択して、販売車名のリンクリストをクリックすると、システムサービス提供サーバ７の情報データベース８および地図情報提供サーバ９の地図データベース１０が参照され、図８（ａ）に示すように、場所、ジャンル、お店、販売車名と、この販売車のお品書ボタンが表示されるとともに、巡回コースの販売場所（移動拠点）および到着場所が地図上に表示される。
【００８６】
さらに、図７（ｃ）および図８（ａ）の販売車毎の販売場所を表示している画面にあるお品書ボタンをクリックすると、情報データベース８が参照され、図８（ｂ）に示すように、お品書画面が表示される。このお品書画面には、お店と、このお店のメニューが価格とともにリスト表示されるとともに、在庫状況が◎および×または残数により表示される。ちなみに、在庫状況の表示の×および◎は、×が０個、◎が１０個以上の残数があることを示している。
【００８７】
そして、このお品書き画面の下方にある注文ボタンをクリックすると、図１０（ｃ）に示すように、注文予約登録画面が表示される。この注文予約登録画面において、図８（ｂ）のお品書き画面のリストにあるメニューと価格が表示され、在庫状況により注文個数をドロップダウンリストより指定する。この際、図８（ｂ）のお品書き画面において、在庫が０個の場合には、上記ドロップダウンリストは選択できないようになっている。
【００８８】
さらに、上記注文予約画面において、注文個数を選択した後に、画面の下方の注文ボタンをクリックすると、注文が確定される。そして、図１３に示すように、確定された注文予約情報は、インターネット２を介して、システムサービス提供サーバ７に送られ、情報データベース８の上記記憶装置に格納される。上記記憶装置に格納された注文予約登録情報は、この注文予約登録に該当する移動販売車両１のＧＰＳ機能付携帯電話３に備えられた注文通知機能６ｂに送られるとともに、予約完了メールが上記サイト利用会員に送られる。
【００８９】
そして、移動販売車両１は、システムサービス提供サーバ７から送られてきた注文予約に応じ、指定された販売スポットにおいて、予約した上記サイト利用会員に商品を販売する。この販売の際には、上記サイト利用会員に送った予約完了メールを確認することにより、予約したサイト利用会員であるかを判断する。
【００９０】
上述の実施形態による移動販売車検索システムによれば、移動販売車両１のコースデータを予めインターネット２に接続されたシステムサービス提供サーバ７の情報データベース８に登録し、インターネット２上に公開されたウェブサイトを介して、当該コースデータを検索および閲覧する際に、移動した移動販売車両１の位置の座標を緯度および経度から取得するＧＰＳ４と、当該座標をシステムサービス提供サーバ７の情報データベース８の記憶装置に送信する通信手段６とを備えたＧＰＳ機能付携帯電話３を搭載しているため、販売車両内１の現在位置を簡便に取得することができるとともに、通信手段６から上記ウェブサイトに移動販売車両１の現在位置を公開することができる。これにより、上記ウェブサイトに正確な位置情報を迅速に公開することができ、ウェブサイト閲覧者がストレスなく移動販売車両１を検索および閲覧することができる。
【００９１】
また、システムサービス提供サーバ７は、ＧＰＳ機能付携帯電話３の通信手段６から送信された上記座標を情報データベース８の上記記憶装置に格納するとともに、情報データベース８の上記記憶装置に格納された上記座標にもとづいて、情報データベース８に予め登録された上記コースデータを呼び出し、上記コースデータ上の登録地と照合しつつ、上記コースデータを更新して、上記ウェブサイトに公開することができるため、移動販売車両１が予め登録したコースに従って巡回することにより、地図情報に則った正確な位置を上記ウェブサイトに公開することができる。これにより、上記ウェブサイト閲覧者は移動販売車両１が現在どこの位置にあるのか、また今後どのコースを辿るのかを容易に知ることができる。
【００９２】
そして、上記ウェブサイト閲覧者は、上記ウェブサイトにアクセスして情報データベース８を呼びだすとともに、上記ウェブサイトに位置情報を入力し、この位置情報にもとづいて、情報データベース８に予め登録された上記コースデータまたはインターネット２に接続された地図情報提供サーバ９の地図データベース１０の座標データを呼び出して、移動販売車両１の位置を検索および閲覧することができるため、上記ウェブサイトにアクセスして、上記ウェブサイト閲覧者の位置情報を入力するだけで、近隣を移動販売している上記移動販売車両を探すことができる。この結果、上記移動販売車両を屋外に出て探す手間が省け、無駄な時間を浪費することを抑えることができる。
【００９３】
さらに、ＧＰＳ機能付携帯電話３の通信手段６は、移動販売車両１の販売開始または販売終了の操作によって、ＧＰＳ機能付携帯電話３のＧＰＳ４が移動販売車両１の位置を定期的に取得した座標をインターネット２を介して自動的にシステムサービス提供サーバ７の情報データベース８の上記記憶装置に送信することができるため、移動販売車両１が上記コースデータにもとづいて巡回する際に、販売拠点となる場所の位置情報を移動販売担当者が、ＧＰＳ機能付携帯電話３の通信手段６により逐一上記インターネットを介して送信する必要がなくなる。これにより、煩わしい作業から解消されて、運転や販売に専念することができる。
【００９４】
また、ＧＰＳ機能付携帯電話３の通信手段６は、移動販売車両１の販売開始または販売終了の操作によって、ＧＰＳ４が移動販売車両１の位置を定期的に取得した座標をインターネット２を介して自動的にシステムサービス提供サーバ７の情報データベース８の上記記憶装置に送信するとともに、システムサービス提供サーバ７は、情報データベース８の上記記憶装置に格納された上記座標にもとづいて、情報データベース８に予め登録されたサイト利用会員の登録データ呼び出し、当該サイト利用会員の登録データの登録地と照合し、一致した当該サイト利用会員に、移動販売車両１の到着通知を送信するため、上記サイト利用会員は、上記移動販売車両がどこの場所にいるかを、携帯電話またはパソコンを利用し、上記ウェブサイトを検索および閲覧する必要がない。この結果、何度も移動販売車両１の位置を検索する手間が省けるとともに、移動販売車両１の位置の検索が遅れて通過してしまうことをなくすことができる。
【００９５】
そして、ＧＰＳ機能付携帯電話３の通信手段６は、移動販売車両１から入力された移動販売車両１の販売情報をインターネット２を介してシステムサービス提供サーバ７の情報データベース８の上記記憶装置に送信し、システムサービス提供サーバ７は、ＧＰＳ機能付携帯電話３の通信手段６から送信された、上記販売情報を情報データベース８の上記記憶装置に格納して、上記ウェブサイトに公開することができるため、道路状況や悪天候など突発的な事態により、上記移動販売車両の販売場所や巡回コースの変更を余儀なくされた場合や、商品が品切れにした場合でも、移動販売車両１内において、販売場所や巡回コースまたはお品書などを簡単に変更することができるとともに、変更した情報がＧＰＳ機能付携帯電話３の通信手段６を介して、簡便に上記ウェブサイトに公開することができる。これにより、上記ウェブサイト閲覧者および上記サイト利用会員は、移動販売車両１の販売場所や巡回コースまたはお品書に変更があった場合でも、その変更情報にもとづいて検索および閲覧することができるため、移動販売の信頼および集客を向上させることができる。
【００９６】
さらに、ＧＰＳ機能付携帯電話３の通信手段６は、移動販売車両１から入力された移動販売車両１の販売情報をインターネット２を介して、システムサービス提供サーバ７の情報データベース８の上記記憶装置に送信するとともに、システムサービス提供サーバ７は、ＧＰＳ機能付携帯電話３の通信手段６から送信された上記販売情報を上記ウェブサイトに公開することにより、上記サイト利用会員が、上記ウェブサイトにアクセスして、上記ウェブサイトに販売情報を入力し、移動販売車両１の販売内容を検索および閲覧し、かつ上記ウェブサイトに注文情報を入力し、この注文情報にもとづいて、移動販売車両１の上記販売内容の予約注文するため、上記サイト利用会員は、予め欲しい商品を自由に選択することができるとともに、欲しい商品が品切れにより買えなかったりすることがない。また、移動販売車両１においても、移動販売車両１に積載する販売商品の在庫調整することができ、売れ残りを減らすことができる。
【００９７】
また、インターネット２に公開された上記ウェブサイトは、不特定多数の上記ウェブサイト閲覧者が、携帯電話１１またはパソコン１２から位置情報を上記ウェブサイトに入力することにより、システムサービス提供サーバ７の情報データベース８の上記コースデータと、地図情報提供サーバ９の地図データベース１０の上記座標データを呼び出して、移動販売車両１の位置を上記ウェブサイトの地図上の上記コースデータに表示するため、インターネット接続用の端末機器があれば、誰でも簡単に上記ウェブサイトにアクセスして、視覚により移動販売車両１を確認することができ、容易に移動販売車両１の販売場所を探すことができるとともに、先回りして移動販売車両１の到着を待つことができる。
【００９８】
そして、移動販売車両１の販売場所および巡回コースを地図上に表示しているため、上記ウェブサイト閲覧者の場所から、最短距離を通り上記移動販売車両に辿り着くことができるとともに、その地域に詳しくない場合でも、迷うことなく移動販売車両１に辿り着くことができる。この結果、時間に余裕がない場合でも、容易に利用することができる。さらに、上記ウェブサイト閲覧者がどこにいても、どの時間帯でも上記ウェブサイトにアクセルすることが可能であるため、移動販売車両１を上記ウェブサイト閲覧者のライフスタイルに合わせて巡回することができる。これにより、新規顧客を獲得する機会を増やすことができる。
【００９９】
なお、上記実施の形態において、ＧＰＳ機能端末３をＧＰＳ機能付携帯電話３を用いた場合のみ説明したが、これに限定されるものではなく、例えば、パーソナルコンピュータに代えても対応可能である。この場合には、ＧＰＳ４として、ＵＳＢインターフェイスを介して接続されているＧＰＳユニットが用いられるとともに、通信手段６として、３Ｇ通信網または公衆無線ＬＡＮ通信網を利用したデータ通信カード６が用いられる。
【産業上の利用可能性】
【０１００】
ラーメンや焼き芋または弁当などの移動販売車両に利用することができる。
【符号の説明】
【０１０１】
１  移動販売車両
２  インターネット
３  ＧＰＳ機能端末（ＧＰＳ機能付携帯電話）
４  ＧＰＳ
５  演算装置
６  通信手段
７  システムサービス提供サーバ
８  情報データベース
９  地図情報提供サーバ
１０  地図データベース
１１  携帯電話（閲覧者用）
１２  パソコン（閲覧者用）
１３  パーソナルコンピュータ（ウェブサイト運用センタ用）
１４  パソコン（移動販売事業者用）
【図１】
2011221984.tif 000003
【図２】
2011221984.tif 000004
【図３】
2011221984.tif 000005
【図４】
2011221984.tif 000006
【図５】
2011221984.tif 000007
【図６】
2011221984.tif 000008
【図７】
2011221984.tif 000009
【図８】
2011221984.tif 000010
【図９】
2011221984.tif 000011
【図１０】
2011221984.tif 000012
【図１１】
2011221984.tif 000013
【図１２】
2011221984.tif 000014
【図１３】
2011221984.tif 000015